(57)【特許請求の範囲】
【請求項１】
載置面を有するバスケット本体と、前記載置面に取り付けられて洗浄対象物を位置固定に保持する保持治具とを有し、前記保持治具は、前記洗浄対象物のリング形状部を異なる２点で上方と下方とから支える構造である、ことを特徴とする洗浄殺菌用バスケット。
【発明の詳細な説明】
【０００１】
【発明の属する技術分野】
本発明は、ハサミ、鈎、ノミ等の医療器具を洗浄殺菌するときに使用する洗浄殺菌用バスケットに関する。
【０００２】
【従来の技術】
従来、ハサミ、鈎、ノミ等の医療器具の洗浄殺菌には、洗浄液や水をノズルから噴射する洗浄殺菌室を備えた洗浄殺菌装置が用いられている。この洗浄殺菌装置による医療器具の洗浄時には、洗浄殺菌する医療器具をバスケット内に入れ、このバスケットを洗浄殺菌室内に収納し、ノズルから洗浄液や水を噴射させる。
【０００３】
ここで、洗浄殺菌される医療器具は、バスケット内の載置面上に載せられているだけであり、位置固定はされていない。ハサミは、刃部の洗浄殺菌を良好に行なうため、開いた状態でバスケット内に入れられている。
【０００４】
【発明が解決しようとする課題】
バスケット内に入れられて洗浄殺菌される医療器具は、バスケット内の載置面上に載せられているだけであるため、ノズルから噴射される洗浄液や水の水圧によって移動しやすい。そして、この移動により医療器具同士がぶつかり、又は、医療器具がバスケットにぶつかり、その結果、医療器具の刃部や突起部などが欠損する場合がある。
【０００５】
そこで本発明は、バスケット内に入れられた医療器具などの洗浄対象物に対してノズルから洗浄液や水を噴射して洗浄殺菌するとき、ノズルから噴射される洗浄液や水の水圧によって洗浄対象物が移動しないようにし、洗浄時に洗浄対象物同士がぶつかったり洗浄対象物がバスケットにぶつかったりすることが原因となって発生する洗浄対象物の刃部や突起部などの欠損を防止できる洗浄殺菌用バスケットを提供することを目的とする。
【０００６】
【課題を解決するための手段】
請求項１記載の発明の洗浄殺菌用バスケットは、載置面を有するバスケット本体と、前記載置面に取り付けられて洗浄対象物を位置固定に保持する保持治具とを有する。
従って、洗浄殺菌用バスケット内に入れられた洗浄対象物は、保持治具により位置固定に保持されるため、この洗浄殺菌用バスケットを洗浄殺菌装置の洗浄殺菌室内に入れて洗浄液や水をノズルから噴射しても、その水圧により洗浄対象物が移動することがない。従って、洗浄液や水の水圧により移動した洗浄対象物が他の洗浄対象物やバスケット本体にぶつかるということがなく、そのようなぶつかりによって洗浄対象物の刃部や突起部などが欠損するということがない。
【０００７】
また、保持治具は、洗浄対象物のリング形状部を異なる２点で上方と下方とから支える構造である。
従って、リング形状部を有する洗浄対象物は、洗浄対象物の自重を利用して、洗浄液や水が噴射されたときの水圧では移動しない安定した保持状態となっている。また、リング形状部を有する洗浄対象物は、リング形状部の２点が保持治具と接触するだけであり、保持治具と洗浄対象物との接触面積が小さくなり、洗浄対象物の洗浄殺菌が良好に行なわれる。
【０００９】
【発明の実施の形態】
本発明の実施の第一の形態を図１ないし図３に基づいて説明する。図１は、洗浄殺菌用バスケット内に洗浄対象物であるハサミ１を入れた状態を示す平面図であり、図２は、その正面図である。この洗浄殺菌用バスケットは、載置面２とこの載置面２の周囲の４辺を囲む側面３とを有するバスケット本体４と、載置面２上に固定されてハサミ１を位置固定に保持する複数個の保持治具５とにより構成されている。前記載置面２と前記側面３とは、針金状部材を所定間隔の隙間をもって配列固定することにより形成されている。
【００１０】
前記保持治具５は、図３に拡大して示すように、針金状部材を略クランク形状に折り曲げることにより形成されており、折り曲げられた部分が、ハサミ１の把手であるリング形状部１ａを異なる２点で上方と下方とから支える支え部５ａ，５ｂとされている。前記保持治具５は、１列に複数個ずつ所定間隔を隔てて並べられており、そのような列が２列設けられている。
【００１１】
このような構成において、この洗浄殺菌用バスケットを使用してハサミ１を洗浄する場合には、ハサミ１のリング形状部１ａを図３に示すように、保持治具５の支え部５ａ，５ｂで上方と下方とから支える。ハサミ１のリング形状部１ａを支え部５ａ，５ｂで支えると、ハサミ１の重心位置（矢印Ｇ）はリング形状部１ａよりも前方の刃部側であるため、リング形状部１ａは支え部５ａに対して上方向き（矢印Ａ方向）に押し付けられ、リング形状部１ａは支え部５ｂに対して下方向き（矢印Ｂ方向）に押し付けられる。そして、ハサミ１は、刃部側を上方向きに傾斜させた状態で保持治具５により保持され、かつ、支え部５ａ，５ｂに矢印Ａ，Ｂで示す向きに押し付けられているため、保持状態が安定する。
【００１２】
従って、複数のハサミ１をこの洗浄殺菌用バスケット内に収納する場合、それぞれのハサミ１は刃部側を上方向きに傾けた状態で保持されているため、ハサミ１同士の接触が防止される。そして、ハサミ１同士が確実に離反した状態で収納されているため、ハサミ１を保持治具５に取り付けたり、保持治具５から取り外したりするときに作業者の手や指が他のハサミ１に触れにくくなり、保持治具５に対するハサミ１の取り付けや取り外しを安全に行なえる。
【００１３】
また、ハサミ１の保持状態が安定しているため、ノズルから噴射される洗浄液や水の水圧が作用してもハサミ１は移動せず、洗浄時にハサミ１が他のハサミ１にぶつかったりバスケット本体４にぶつかったりすることが防止され、そのようなぶつかりによって生じる刃部の欠損が防止される。
【００１４】
保持治具５によるハサミ１の保持は、２点の支え部５ａ，５ｂで行なわれているため、保持治具５とハサミ１との接触面積が小さくなり、ハサミ１の洗浄殺菌が良好に行なわれる。
【００１５】
つぎに、本発明の実施の第二の形態を図４に基づいて説明する。なお、図１ないし図３において説明した部分と同じ部分は同じ符号で示し、説明も省略する（以下、同様）。本実施の形態は、保持治具６を上方保持部６ａと下方保持部６ｂとの２つに分割したものであり、上方保持部６ａはハサミ１のリング形状部１ａを上方から支え、下方保持部６ｂはリング形状部１ａを下方から支える。
【００１６】
このような構成において、本実施の形態の洗浄殺菌用バスケットによれば、実施の第一の形態の洗浄殺菌用バスケットと同じように、複数のハサミ１が互いに接触しないように離反させて保持され、かつ、保持されたハサミ１は、洗浄液や水の噴射による水圧によって移動しないように安定状態で保持されている。従って、洗浄殺菌時にハサミ１同士がぶつかることなどによって生ずる刃部の欠損が防止される。
【００１７】
つぎに、本発明の実施の第三の形態を図５に基づいて説明する。本実施の形態は、保持治具５を１列に複数個ずつ所定間隔を隔てて並べられ、そのような列が４列設けられている。
【００１８】
このような構成において、洗浄殺菌用バスケット内にハサミ１を２列に収納することができ、収納能力が高くなる。収納されたハサミ１は、第一の形態の洗浄殺菌用バスケットと同じように、複数のハサミ１が互いに接触しないように離反させて保持され、かつ、保持されたハサミ１は、洗浄液や水の噴射による水圧によって移動しないように安定状態で保持されている。従って、洗浄殺菌時にハサミ１同士がぶつかることなどによって生ずる刃部の欠損が防止される。
【００１９】
つぎに、本発明の参考例を図６ないし図８に基づいて説明する。本参考例は、バスケット本体４の載置面２上に、洗浄対象物である鈎７やノミ８及び分解したハサミ９を位置固定に保持する２個の保持治具１０ａ，１０ｂが固定されている。
【００２０】
前記保持治具１０ａ，１０ｂには、針金状部材を折り曲げることにより形成され、前記鈎７やノミ８などの厚手の握り部を鈎７やノミ８の横幅方向に傾斜した状態で載置する勾配部１１と、この勾配部１１の下端部から上方に立ち上がったストッパ部１２と、分解したハサミ９などのような薄手の器具を挾み込んだ状態で保持するスリット部１３とが形成されている。このスリット部１３は、勾配部１１よりも急な傾斜に形成されている。
【００２１】
また、前記保持治具１０ａ，１０ｂは、図８に示すように、勾配部１１とストッパ部１２とスリット部１３とが形成されている点は同じであるが、載置面２からの立上り寸法が、保持治具１０ａが保持治具１０ｂより大きく形成されている。
【００２２】
このような構成において、この洗浄殺菌用バスケットを使用して医療器具を洗浄殺菌する場合に、鈎７やノミ８などについては、その握り部を勾配部１１の上に載置して握り部の横幅方向に傾斜させ、傾斜方向の下側部分をストッパ部１２に当接させる。さらに、握り部の端部側を立上り寸法の小さい保持治具１０ｂの勾配部１１の上に載置することにより、握り部の端部が下側となるように鈎７やノミ８を傾け、かつ、握り部の端部を載置面２と側面３とのコーナー部に当接させる。
【００２３】
従って、鈎７やノミ８などは、握り部の横幅方向に傾斜した状態で勾配部１１上に載置され、かつ、その傾斜方向の下側部分をストッパ部１２に当接されているので、これらの鈎７やノミ８は、洗浄液や水が噴射されたときの水圧では移動しない安定した保持状態となっている。このため、洗浄時に鈎７やノミ８が互いにぶつかったりバスケット本体４にぶつかったりすることが防止され、そのようなぶつかりによって生じるノミ８の刃部の欠損や鈎７の先端部の欠損などが防止される。さらに、鈎７やノミ８の握り部の端部を載置面２と側面３とのコーナー部に当接させることにより、鈎７やノミ８の保持状態がより一層安定する。このため、繊細で傷付きやすいために手作業で洗浄殺菌していた眼科用手術器具などについても、この洗浄殺菌用バスケット内に収納して洗浄することが可能となる。
【００２４】
また、保持治具１０ａ，１０ｂによる鈎７やノミ８の保持は、２ヵ所の勾配部１１で行なわれているため、鈎７やノミ８と保持治具１０ａ，１０ｂとの接触面積が小さくなり、鈎７やノミ８の洗浄殺菌が良好に行なわれる。
【００２５】
分解したハサミ９などのような薄手の器具を洗浄殺菌する場合には、スリット部１３に挾み込んで位置固定する。これにより、薄手で軽量な医療器具であっても、洗浄液や水が噴射されたときの水圧により移動しない安定した保持状態となり、洗浄時のぶつかりにより分解したハサミ９の刃部が欠損することが防止される。
【００２６】
本参考例の洗浄殺菌用バスケットによれば、鈎７やノミ８及び分解したハサミ９等の形状の異なる多種類の医療器具を保持することができ、医療器具の種類に応じて多種類の洗浄殺菌用バスケットを準備する必要がなくなり、多種類の洗浄殺菌用バスケットを準備、管理するコストが軽減される。
【００２７】
なお、本実施の形態の洗浄殺菌用バスケットでは、針金状部材を折り曲げることにより形成した保持治具１０ａ，１０ｂを例に挙げて説明したが、このような保持治具を板状部材で形成してもよい。
【００２８】
また、本実施の形態の洗浄殺菌用バスケットでは、２個の保持治具１０ａ，１０ｂを設けた場合を例に挙げて説明したが、一方の保持治具１０ｂを省略してもよい。
【００２９】
【発明の効果】
請求項１記載の発明の洗浄殺菌用バスケットによれば、バスケット本体の載置面に洗浄対象物を位置固定に保持する保持治具を有するので、洗浄対象物をこの保持治具で位置固定に保持することにより、洗浄殺菌用バスケットを洗浄殺菌装置の洗浄殺菌室内に入れて洗浄液や水をノズルから噴射しても、その水圧により洗浄対象物が移動することを防止できる。従って、洗浄液や水の水圧により移動した洗浄対象物が他の洗浄対象物やバスケット本体にぶつかるということを防止でき、そのようなぶつかりによって洗浄対象物の刃部や突起部などが欠損することを防止できる。
【００３０】
また、保持治具は、洗浄対象物のリング形状部を異なる２点で上方と下方とから支える構造であるので、洗浄対象物の自重を利用して洗浄液や水が噴射されたときの水圧では移動しない安定した保持状態とすることができる。また、リング形状部を有する洗浄対象物は、リング形状部の２点が保持治具と接触するだけであるので、保持治具と洗浄対象物との接触面積を小さくすることができ、洗浄対象物の洗浄殺菌を良好に行なうことができる。
【図面の簡単な説明】
【図１】  本発明の実施の第一の形態の洗浄殺菌用バスケットにおいて、保持治具によるハサミの保持状態を示す平面図である。
【図２】  その正面図である。
【図３】  保持治具によるハサミの保持状態を拡大して示す正面図である。
【図４】  本発明の実施の第二の形態の洗浄殺菌用バスケットにおいて、保持治具によるハサミの保持状態を拡大して示す正面図である。
【図５】  本発明の実施の第三の形態の洗浄殺菌用バスケットにおいて、保持治具によるハサミの保持状態を示す平面図である。
【図６】  本発明の参考例の洗浄殺菌用バスケットにおいて、保持治具により異なる種類の医療器具を保持した状態を示す平面図である。
【図７】  その縦断側面図である。
【図８】  保持治具の形状を示す正面図であり、（ａ）は立上り寸法の大きいほうの保持治具、（ｂ）は立上り寸法の小さいほうの保持治具である。
【符号の説明】
１，７，８，９  洗浄対象物
１ａ            リング形状部
２              載置面
４              バスケット本体
５，１０ａ，１０ｂ  保持治具
１１              勾配部
１２              ストッパ部
【図１】
0003669608.tif 000002
【図２】
0003669608.tif 000003
【図３】
0003669608.tif 000004
【図４】
0003669608.tif 000005
【図５】
0003669608.tif 000006
【図６】
0003669608.tif 000007
【図７】
0003669608.tif 000008
【図８】
0003669608.tif 000009